(57)【特許請求の範囲】
【請求項１】
複数の外壁材を上下左右に並設した外壁の目地構造であって、
上下に隣接した前記外壁材の間に形成される横目地部には、当該横目地部に沿って水を流すための樋状部を備えた横目地部材が設けられ、
左右に隣接した前記外壁材の間に形成される縦目地部には、前記樋状部からの水を下方に落とすための排水路が設けられ、
前記横目地部および縦目地部の交差部分には、前記横目地部材よりも屋内側にブロック状のバックアップ材が配置され、
このバックアップ材の屋外側の面には、屋外側に向かう下り傾斜が付けられ、
前記バックアップ材は、左右に隣接した前記外壁材それぞれの上端面部と、これらの外壁材が互いに対向する対向面部とがそれぞれ形成する各角部にそれぞれ取り付けられた一対の互いに対称な略Ｌ字状の止水ブロックからなり、
これらの止水ブロックは、相互に密着して配置されることにより、前記縦目地部を横断して前記横目地部に配置されかつ上下に配置された前記外壁材にそれぞれ密着する横止水部と、この横止水部から前記縦目地部に沿って下方に延びる縦止水部とを有して略Ｔ状に配置されていることを特徴とする外壁の目地構造。
【請求項２】
請求項１に記載した外壁の目地構造において、
前記縦目地部には、前記排水路を構成する縦目地部材が屋外側から圧入され、
この縦目地部材に、前記バックアップ材の屋外側の面の傾斜方向下端部が当接されていることを特徴とする外壁の目地構造。
【請求項３】
請求項１または２に記載した外壁の目地構造において、前記バックアップ材の屋内側の面は、前記外壁材の屋内側の面と平行にされていることを特徴とする外壁の目地構造。
【請求項４】
請求項１から３までのいずれかに記載した外壁の目地構造において、前記バックアップ材は、発泡体からなることを特徴とする外壁の目地構造。
【発明の詳細な説明】
【０００１】
【発明の属する技術分野】
本発明は、複数の外壁材を上下左右に並設した外壁の目地構造に関する。
【０００２】
【背景技術】
住宅等の建物の外壁は、一般に、サイディング材等の外壁材を、鉄骨や木材を組んだ骨組みに並べて取り付けて形成している。
また、複数の建物ユニットを予め工場で製造し、これらを建設現場で組み合わせて建物を構築するユニット工法においては、工場で建物ユニットを製造する際に、ＡＬＣやＰＡＬＣ等の軽量気泡コンクリートからなる外壁材を、柱および梁を組んだ箱状の骨組みに組み付けるようにしている。この外壁材を取り付けた建物ユニットを建設現場で積層配列することにより、外壁材が並設され、建物の外壁が形成される。
【０００３】
このように、サイディング材や軽量気泡コンクリート等の外壁材を上下左右に並設した外壁では、隣接する外壁材の間に目地部が形成されるので、この目地部に防水処理を施す必要が生じる。
目地部の防水処理として、本出願人は、上下に隣接した外壁材の間に形成される横目地部に樋状部を備えた横目地部材を設けるとともに、左右に隣接した外壁材の間に形成される縦目地部に排水路を設け、雨水を横目地部材の樋状部に沿って流して、縦目地部の排水路を通じて下方に流し落とす方法を提案した（特願平９−８２７０９号）。この構造では、横目地部および縦目地部の交差部分で横目地部材が途切れるので、この交差部分の横目地部材よりも屋内側に、バックアップ材である角柱状の防水ブロックを配置して、その屋外側の面で止水するようにしている。
【０００４】
【発明が解決しようとする課題】
しかしながら、目地部において、防水ブロックを厳密に水平に設置するのは極めて困難であり、防水ブロックの設置状態（傾き方）によっては、その屋外側の面に屋内側に向かう下り傾斜が形成されることがあり、この屋外側の面を伝って雨水が屋内側に流れて、防水性が低下するおそれがある。
また、防水ブロックの設置時には、このような傾きが生じないように防水ブロックの傾きを厳密に管理しなければならないため、設置に手間がかかるという問題がある。
【０００５】
本発明の目的は、充分な防水性を確保できかつバックアップ材を容易に設置できる外壁の目地構造を提供することにある。
【０００６】
【課題を解決するための手段】
本発明は、図面を参照して説明すると、複数の外壁材６，７を上下左右に並設した外壁の目地構造であって、上下に隣接した外壁材の間に形成される横目地部８には、当該横目地部８に沿って水を流すための樋状部２１，８１を備えた横目地部材２０，８０が設けられ、左右に隣接した外壁材の間に形成される縦目地部９には、樋状部からの水を下方に落とすための排水路４０が設けられ、横目地部および縦目地部の交差部分には、横目地部材よりも屋内側にブロック状のバックアップ材６０が配置され、このバックアップ材の屋外側の面には、屋外側に向かう下り傾斜が付けられ、前記バックアップ材は、左右に隣接した前記外壁材のそれぞれの上端面部と、これらの外壁材が互いに対向する対向面部とがそれぞれ形成する各角部にそれぞれ取り付けられた一対の互いに対称な略Ｌ字状の止水ブロックからなり、これらの止水ブロックは、相互に密着して配置されることにより、前記縦目地部を横断して前記横目地部に配置されかつ上下に配置された前記外壁材にそれぞれ密着する横止水部と、この横止水部から前記縦目地部に沿って下方に延びる縦止水部とを有して略Ｔ状に配置されていることを特徴とする。
【０００７】
本発明では、バックアップ材の屋外側の面には、屋外側に向かう下り傾斜が付けられているため、横目地部および縦目地部の交差部分でバックアップ材により止水された雨水は、その屋外側の面の下り傾斜に沿って、屋外側に向かって流れ落ちるから、優れた防水性を確保できる。
また、バックアップ材には、予め屋内側に向かう下り傾斜が付けられているので、バックアップ材を通常の作業で設置した場合に、設置時の傾きによって屋外側の面に屋内側に向かう下り傾斜が形成されるのを確実に防止できる。従って、従来の角柱状のバックアップ材のように、設置時の傾きを厳密に管理しなくてもよくなるから、バックアップ材を簡単に設置できる。
さらに、バックアップ材を略Ｔ字状に配置することで、横目地部材の途切れた部分を屋内側から確実に覆うことができるから、優れた防水効果が得られる。
そのうえ、バックアップ材が一対の止水ブロックにより構成されていることで、止水ブロックを予め各外壁材に取り付けておくことができるから、外壁材を並設するだけで横目地部および縦目地部の交差部分にバックアップ材を簡単に設置できる。
また、一対の止水ブロックは互いに密着しているため、これらのブロック間からの雨水の浸入を確実に防止できる。
【０００８】
また、縦目地部に、排水路を構成する縦目地部材４１が屋外側から圧入される場合、この縦目地部材に、バックアップ材の屋外側の面の傾斜方向下端部が当接されていることが望ましい。
【０００９】
バックアップ材の傾斜方向下端部を縦目地部材に当接させると、雨水は、バックアップ材の屋外側の面に沿って下方に流されてから、縦目地部材を伝わって下方に流れ落ちるようになる。従って、バックアップ材により止水された水が、当該バックアップ材よりも下方で屋内側へ浸入するのを防止できる。
【００１２】
以上において、バックアップ材の屋内側の面は、外壁材の屋内側の面と平行にされていることが望ましい。
このようにすれば、バックアップ材を外壁材の屋内側の面と平行になるように配置するだけで、外壁材に対して簡単に位置決めできるから、バックアップ材の設置を一層容易化できる。
【００１３】
また、バックアップ材は、発泡体からなることが好ましく、これによると、バックアップ材に柔軟性を確保できるため、目地部の形状、大きさに拘わらず、バックアップ材が弾性変形して外壁材に追従するようになるから、バックアップ材および外壁材の間に優れた水密性を確保できる。
【００１４】
【発明の実施の形態】
以下、本発明の実施の一形態を図面に基づいて説明する。
図１には、二階建てのユニット式建物１が示されている。このユニット式建物１は、基礎２上に箱形の建物ユニット３を複数積層配列し、それらの建物ユニット３の上に屋根（図示省略）を設けて構築されている。
建物ユニット３は、図２に示すように、四本の柱１１、これらの四本の柱１１の上端間を連結する上梁１２および四本の柱１１の下端間を連結する下梁１３を含む直方体形状の骨組み４と、上梁１２間に架け渡された複数の小梁１４と、下梁１３間に架設された複数の根太１５とを備えている。骨組み４内には、天井面材１６、床面材１７、図示しない内壁パネルおよび間仕切パネル等が適宜組み込まれて内装が施されている。
また、図１にも示すように、建物１の外壁を構成する建物ユニット３には、その骨組み４の側面にＡＬＣやＰＡＬＣ等の軽量気泡コンクリートからなる矩形板状の外壁材６が取り付けられている。このうち、建物１の角隅部、つまり、建物１の出隅部１Ａおよび入隅部１Ｂに配置される建物ユニット３には、その骨組み４の角隅部に、平面視で略Ｌ字状の角隅部用外壁材７が取り付けられている。
【００１５】
このような建物ユニット３を積層配列することで、各建物ユニット３の外壁材６，７は上下左右に並設され、これらの並設された外壁材６，７によってユニット式建物１の外壁が構成されている。
本実施形態の外壁においては、上下に隣接する外壁材６の間、外壁材７の間に各々横目地部８が形成され、左右に隣接する外壁材６の間、外壁材６，７の間にそれぞれ縦目地部９が形成されている。
【００１６】
上下に隣接した外壁材６の間に形成される横目地部８には、図３に示すように、当該横目地部８に沿って水を流すための樋状部２１を備えた横目地部材２０が設置され、上下の外壁材６Ａ，６Ｂに圧接されている。
横目地部材２０は、横目地部８の長手方向に連続した形状を有し、図４にも示すように、下側の外壁材６Ｂの上端面に密着固定される板状の横目地用基部２２と、この横目地用基部２２に長手方向に沿って上方に突設される二列の屋内側リップ状部２３および屋外側リップ状部２４と、横目地用基部２２の屋内側の端部に突設された突出部２７とを有して一体的に形成されている。
このような横目地部材２０のうち、屋外側リップ状部２４を除いた主な部分は、弾性を有する硬質の材料、具体的には、ＥＰＤＭ（エチレンプロピレンジエンラバー）により形成されている。
【００１７】
横目地用基部２２は、その下部に接着された両面テープ２５を介して下側の外壁材６Ｂに接着固定されている。両面テープ２５は、弾力性および防水性を有するブチルゴム系或いは天然ゴム系の材料からなる基材の両面に流性を有する粘着材を設けたものであり、横目地用基部２２および下側の外壁材６Ｂに挟み込まれることによって弾性変形し、外壁材６Ｂの上端面および横目地用基部２２に十分に密着固定されている。これにより、横目地用基部２２は下側の外壁材６Ｂに面接触していてもその間からの毛管現象による水の浸入を阻止できる。
また、外壁材６Ａ，６Ｂに圧縮されることにより、横目地部材２０がＵ字状に撓んでその横目地用基部２２がめくれ上がるのを防止するために、両面テープ２５は、横目地用基部２２の屋外側の端面近傍まで貼られている。なお、この両面テープ２５は、横目地用基部２２の屋外側の端面に達するように貼ってもよい。
【００１８】
このような横目地用基部２２に立設された屋内側リップ状部２３および屋外側リップ状部２４の間は、樋状部２１とされている。
この樋状部２１の底面、つまり、横目地用基部２２の上面のうち一対のリップ状部２３，２４の間の部分である樋状部底面２６には、屋内側リップ状部２３から屋外側リップ状部２４に向かう下り勾配が形成され、水が樋状部２１内の屋外側の部分に沿って流れるようになっている。
また、屋外側リップ状部２４は、屋内側リップ状部２３よりも軟質の材料、具体的には、ＣＳＭ（クロロスルホン化ポリエチレン）からなり、美観を確保するために、外壁材６，７と略同じ色に形成され、外壁材６，７と略同じ質感にするためのエンボス加工が施されている。この屋外側リップ状部２４は、横目地用基部２２の屋外側の端面を覆うように設けられている。
本実施形態の横目地部材２０は、このＣＳＭおよび前述したＥＰＤＭを用いて、一体的に押出し成形すること等により成形されている。
【００１９】
このような屋外側リップ状部２４には、屋内側リップ状部２３に向かって突出する支持用突起３０が設けられ、この支持用突起３０の突出方向先端には、上方に突出して上側の外壁材６Ａの下端面に圧接される上側支持片３１と、下方に突出して横目地用基部２２に結合された下側支持片３２とが設けられている。これらの支持片３１，３２は、外壁材６Ａ，６Ｂに挟み込まれて圧縮されるため、横目地用基部２２は、下側支持片３２との結合部分で、下側の外壁材６Ｂに対して押圧されるようになる。
このような支持片３１，３２により、樋状部２１内の空間は、屋内側と屋外側とに区画され、このうち、屋外側の空間は、支持用突起３０によって上下に分割されている。
【００２０】
この支持用突起３０には、その中間部分を上下に貫通する排水孔３３が設けられ、この排水孔３３から、支持用突起３０よりも下側の空間に水を導入できるようになっている。
排水孔３３は、表面張力が働かない程度の大きさの長孔状に形成され、支持用突起３０の剛性を確保できるように、支持用突起３０の長手方向に沿って間欠的に設けられている。
【００２１】
屋内側リップ状部２３および突出部２７の間には、樋状部２１と平行な排水溝２８が形成され、樋状部２１から屋内側リップ状部２３を越えて屋内側に浸入した水を捕捉できるようになっている。
また、突出部２７は、一対のリップ状部２３，２４よりも低い高さ、具体的には、上側の外壁材６Ａの下端面に接触しない高さに形成されている。これにより、突出部２７および上側の外壁材６Ａの間からの毛管現象による浸水を確実に防止できる。
【００２２】
このように構成された横目地部材２０は、図５に示すように、外壁材６Ａ，６Ｂに上下から挟み込まれている。
屋内側リップ状部２３および屋外側リップ状部２４は、弾性変形して、その各先端は、上側の外壁材６Ａの下端面に圧接されて隙間なく密着している。
支持用突起３０の上側支持片３１の先端は上側の外壁材６Ａの下端面に圧接されて密着している。これにより、横目地用基部２２は、下側支持片３２との接合部分で下側の外壁材６Ｂに対して押圧されている。
また、支持用突起３０は、屋外側リップ状部２４の中央部分が屋内側に撓むように接続されているので、外壁材６Ａ，６Ｂにより挟み込んだときに、屋外側リップ状部２４の上端部が屋内側に折れ曲がることないから、防水性を損うことなく設置できる。
【００２３】
図１に戻って、ユニット式建物１の入隅部１Ｂにおいて、上下に積層された角隅部用の外壁材７の間に形成された横目地部８には、図６に示すように、平面視で略Ｌ字状に湾曲した形状にした以外は、前述した横目地部材２０と略同様な横目地部材８０が設けられている。
なお、この横目地部材８０の説明にあたって、前述した図３〜図５と同じ構成要素については同一符号を付し、その説明を省略もしくは簡略化する。
下側の外壁材７（上側の外壁材については図示省略）の上端の屋内側のコーナー部には切欠き部７１が形成され、外壁材７を柱１１（図２参照）に固定するブラケット７２を取り付けるようになっている。
【００２４】
横目地部材８０は、平面視で略Ｌ字状に形成され、その角部は湾曲した形状とされ、これにより、横目地部材８０の角部のうち最も屋内側に出っ張る頂部８０Ａは、外壁材７の上端面に支持され、下方に撓まないようになっている。
このような横目地部材８０の角部において、樋状部８１および排水溝８８は湾曲しており、この湾曲に沿って水が流通するようになっている。
また、排水溝８８から水が屋内側に溢れ出すのを防止するために、当該排水溝８８を構成する突出部８７は、前述した横目地部材２０の突出部２７（図３〜図５参照）よりも、上方への突出高さが高くされ、排水溝８８の容積が拡張されている。
さらに、上側支持片３１の上端部には、毛管現象等による屋内側への水の浸入を抑制するために、ブチルゴムを主成分とする粘着材８９が設けられ、上側の外壁材（図示省略）に密着するようになっている。
【００２５】
一方、図７および図８に示すように、左右に隣接した外壁材６Ａの間、外壁材６Ｂの間に形成された縦目地部９には、樋状部２１および排水溝２８に連通する排水路４０が設けられ、樋状部２１に沿って流れてきた水を排水路４０を通じて下方に流し落とすようになっている。
この排水路４０は、縦目地部９に屋外側から圧入された縦目地部材４１により形成され、縦目地部９のうち、縦目地部材４１から屋内側の部分で排水するようになっている。
【００２６】
縦目地部材４１は、縦目地部９に係止される縦目地係止部４２と、この縦目地係止部４２の屋外側の端部に設けられて縦目地部９を塞ぐ縦目地止水部４３とを備えている。
縦目地係止部４２は、弾性を有する硬質の材料、具体的には、ＥＰＤＭにより形成され、図９にも示すように、縦目地部９内に挿入される挿入部５１と、この挿入部５１から左右の外壁材６Ａ，６Ｂの各側端面に向かって突出した封止片５２とを有して構成されている。これらの封止片５２は、縦目地部材４１を縦目地部９に圧入したときに、弾性変形してその突出方向先端部が各外壁材６Ａ，６Ｂの側端面に圧接され、これにより、縦目地部９に係止されるようになっている。
【００２７】
縦目地止水部４３は、縦目地係止部４２よりも軟質の材料、具体的には、ＣＳＭからなり、美観を確保するために、外壁材６，７と略同じ色に形成され、外壁材６，７と略同じ質感にするためのエンボス加工が施されている。
これらの材質からなる本実施形態の縦目地部材４１は、ＣＳＭおよび前述したＥＰＤＭを用いて、縦目地係止部４２および縦目地止水部４３を一体的に押出し成形すること等により成形されている。
【００２８】
この縦目地止水部４３は、挿入部５１の屋外側の端面を覆うように設けられた止水面５３と、この止水面５３の幅方向（縦目地部９の長手方向と直交する方向）端部および挿入部５１の中間部分をそれぞれ連結する連結面５４とを備え、挿入部５１の屋外側の端部を含んで、縦目地９の長手方向に連続した矩形筒状に形成されている。
連結面５４には、横目地部材２０の長手方向端面に沿う平面部５４Ａが形成されている。この平面部５４Ａは、外壁材６Ａ，６Ｂの各側端面に圧接されるとともに、横目地部８および縦目地部９の交差部分においては、横目地部材２０の屋外側リップ状部２４の長手方向端面に圧接されて密着するようになっている。
【００２９】
また、図７および図８に示すように、横目地部８および縦目地部９の交差部分には、横目地部材２０および縦目地部材４１よりも屋内側に、柔軟性を有する発泡体からなるバックアップ材６０が配置されている。
このバックアップ材６０は、縦目地部９を横断して横目地部８に配置された横止水部６１と、この横止水部６１から縦目地部９に沿って下方に延びる縦止水部６２とを有して略Ｔ字状に形成されている。
この縦止水部６２の屋外側の面６２Ａの下部には、屋外側に向かう下り傾斜が付けられている。縦止水部６２の傾斜方向下端部は、縦目地部材４１に当接され、バックアップ材６０の屋外側の面６２Ａに沿って流れた落ちた水を、縦目地部材４１に伝わせて排水できるようになっている。
また、バックアップ材６０の屋内側の面は、外壁材６Ａ，６Ｂの屋内側の面と平行に形成され、これらの外壁材６Ａ，６Ｂの屋内側の面と面一になるように設置されている。
【００３０】
このようなバックアップ材６０は、目地部８，９の交差部分において、下側で左右に隣接した外壁材６Ｂにそれぞれ取り付けられた一対の止水ブロック６０Ａ，６０Ｂにより構成されている。これらの止水ブロック６０Ａ，６０Ｂは、互いに対称な略Ｌ字状に形成され、それぞれ前記隣接した外壁材６Ｂの対向する各角部に取り付けられ、外壁材６Ｂを隣接配置した状態で互いに密着している。
【００３１】
なお、図示しないが、左右に隣接した外壁材６，７の間に形成された縦目地部９にも、同様な構造の排水路が形成されている。
【００３２】
本実施形態においては、次のような手順で横目地部８および縦目地部９の防水処理を行う。
先ず、長尺に成形して巻き取っておいた横目地部材２０を横目地部８の長手方向寸法、つまり、外壁材６の上端面の長手方向寸法に応じた長さに切断し、これとは別に、入隅部用に略Ｌ字状に形成した横目地部材８０を用意しておく。
また、縦目地部材４１も予め長尺に成形して巻き取っておき、一階および二階部分の縦目地部９を連続して塞ぐ長さに切断する。
【００３３】
そして、ユニット式建物１の一階部分に配置される建物ユニット３の外壁材６，７の上端面、つまり、横目地部８を構成する下側の外壁材６Ｂ，７の上端面に、両面テープ２５によって横目地部材２０，８０を密着固定する。
このとき、樋状部２１にはその長手方向に沿った勾配が形成される。すなわち、外壁材６を骨組み４に通常の作業で取り付けた場合、その上端面を厳格に水平面に保った状態で取り付けることは困難である。そこで、その取付け時に生じる傾きを利用して樋状部２１に長手方向に沿った勾配を形成できる。
【００３４】
また、一階の建物ユニット３の外壁材６，７の側端面の上端部、つまり、目地部８，９の交差部分において下側となる外壁材６Ｂ，７の各側端面の上端部には、止水ブロック６０Ａ，６０Ｂを密着固定する。このとき、止水ブロック６０Ａ，６０Ｂを正確に位置決めするために、止水ブロック６０Ａ，６０Ｂの屋内側の面が外壁材６Ｂ，７の各屋内側の面と面一になるように設置する。
【００３５】
これらの横目地部材２０，８０および止水ブロック６０Ａ，６０Ｂの取付けは、建物ユニット３の組立てとともに工場で予め行ってもよく、建設現場において建物ユニット３を施工する際に行ってもよい。
【００３６】
次に、建設現場において建物ユニット３を基礎２上に順次積層配列する。
この際、一階の建物ユニット３を水平方向に隣接配置すると、左右に並列配置された外壁材６Ｂの間で、止水ブロック６０Ａ，６０Ｂが互いに密着するとともに、止水ブロック６０Ａ，６０Ｂの設置時に若干の傾きが生じても、これらの止水ブロック６０Ａ，６０Ｂからなるバックアップ材６０の屋外側の面６２Ａには、屋外側に向かう下り勾配が形成される。
そして、一階の建物ユニット３の上に二階の建物ユニット３を積層すると、上下に隣接配置される外壁材６Ａ，６Ｂの間、外壁材７の間で、それぞれ横目地部材２０，８０の屋内側リップ状部２３、屋外側リップ状部２４および支持片３１，３２が弾性変形して、その各上端部が上側の外壁材６Ａ，７の下端面に圧接されるようになる。
また、バックアップ材６０が上側の外壁材６Ａ，７により押圧されて弾性変形し、その横止水部６１が上下の外壁材６Ａ，６Ｂ，７に密着する。
【００３７】
この後、縦目地部材４１を縦目地部９に屋外側から圧入して、バックアップ材６０の屋外側の面６２Ａの傾斜方向下端部に当接させる。すると、縦目地部材４１の縦目地止水部４３は弾性変形して、その平面部５４Ａが横目地部材２０，８０の屋外側リップ状部２４の長手方向端面に追従するようになり、互いに柔軟性を有するため、隙間なく密着するようになる。
【００３８】
このように構成された本実施形態の外壁の目地構造では、横目地部８において、雨水のほとんどは屋外側リップ状部２４で遮られ、この屋外側リップ状部２４を越えて屋内側に浸入した雨水は、樋状部２１，８１で捕捉され、この樋状部２１，８１に沿って排水路４０まで流れるようになる。
【００３９】
横目地部材２０において、樋状部２１で捕捉された水は、横目地部材２０の設置時に樋状部底面２６に形成された長手方向の勾配に従って、上下の外壁材６Ａ，６Ｂの間を横目地部８の長手方向に沿って流れる。このとき、水は樋状部底面２６の屋外側に向かう下り勾配により樋状部２１内の屋外側の部分を流れる。
【００４０】
具体的には、屋外側リップ状部２４および上側の外壁材６Ａの間から浸入した雨水は、先ず、上側支持片３１で止水されて、支持用突起３０の上面を流れて、排水孔３３から支持用突起３０よりも下側の空間、つまり、下側支持片３２および屋外側リップ状部２４の間の空間を通じて排水路４０まで導かれる。
この支持用突起３０の下側の空間よりも水量が多く、排水孔３３から水が溢れた場合、水は、支持用突起３０よりも上側の空間、つまり、上側支持片３１および屋外側リップ状部２４の間の空間を通じて流れるようになる。
そして、上側支持片３１および上側の外壁材６Ａの間から屋内側に浸入した雨水は、屋内側リップ状部２３で止水され、樋状部２１のうち、屋内側リップ状部２３および支持片３１，３２の間の空間を通じて、排水路４０まで導かれる。
【００４１】
毛管現象等により、樋状部２１よりも屋内側に浸入した水、つまり、屋内側リップ状部２３および上側の外壁材６Ａの間から屋内側に浸入した雨水は、突出部２７により止水され、排水溝２８を通じて排水路４０に導入される。
この突出部２７は、上側の外壁材６Ａに接触していないので、この突出部２７および外壁材６Ａの間から毛管現象によって屋内側に浸水することはない。
【００４２】
また、入隅部用の横目地部材８０においても、横目地部材２０の場合と同様に、雨水は、樋状部８１および排水溝８８に沿って排水路４０に導入される。
このとき、横目地部材８０の角部は湾曲しているため、外壁材７の切欠き部７１に被さる部分が少ないうえ、横目地部材８０の頂部８０Ａは、下側の外壁材７の上端面に支持されているので、横目地部材８０の角部が下方に垂れ下がることがないから、樋状部８１の角部における水の滞留を防止できる。また、排水溝８８の容積は拡大されているため、樋状部８１よりも屋内側に浸入する雨水の量が多くても、排水溝８８を通じて確実に排水することができる。
【００４３】
このように樋状部２１，８１および排水溝２８，８８を流れた水は、横目地部８および縦目地部９の交差部分で排水路４０に導入され、この排水路４０に沿って流れ落ちて排水される。具体的には、縦目地部９において、雨水は、縦目地部材４１の縦目地止水部４３よりも屋内側の部分を流れるようになる。
この目地部８，９の交差部分において、樋状部２１，８１および排水溝２８，８８から、縦目地部材４１よりも屋内側の部分に導入された水は、バックアップ材６０により止水され、その屋外側の面６２Ａを伝わって、その傾斜に沿って屋外側に導かれる。そして、縦止水部６２の屋外側の面６２Ａに沿って流れた水は、その傾斜方向下端部から縦目地部材４１の縦目地係止部４２を伝わって下方に流し落とされる。これにより、雨水は、バックアップ材６０および縦目地部材４１の間を自然落下することがなくなるので、雨水のバックアップ材６０よりも屋内側への浸入を防止できる。
【００４４】
一方、縦目地部９においては、雨水のほとんどは縦目地部材４１の縦目地止水部４３により遮断される。縦目地止水部４３を越えて縦目地部９に浸入した水はそのまま排水路４０に導入されて下方に流し落とされる。
【００４５】
このような本実施形態によれば、以下のような効果がある。
すなわち、バックアップ材６０の屋外側の面６２Ａには、屋外側に向かう下り傾斜が付けられているため、横目地部８および縦目地部９の交差部分において、バックアップ材６０により止水された雨水は、その屋外側の面６２Ａの下り傾斜に沿って屋外側に向かって流れ落ちるので、雨水が屋内側に向かうのを防止できるから、優れた防水性を確保できる。
また、バックアップ材６０には、予め屋内側に向かう下り傾斜が付けられているので、バックアップ材６０の設置時の傾きにより、その屋外側の面６２Ａに屋内側に向かう下り傾斜が形成されるのを確実に防止できる。従って、設置時の傾きを厳密に管理しなくてもよくなるから、バックアップ材６０を簡単に設置できる。
【００４６】
また、バックアップ材６０の傾斜方向下端部を縦目地部材４１に当接させたため、雨水は、バックアップ材６０の屋外側の面６２Ａに沿って下方に流されてから、縦目地部材４１を伝わって下方に流れ落ちるようになる。従って、バックアップ材６０により止水された水が、当該バックアップ材６０よりも下方で屋内側へ浸入するのを防止できる。
【００４７】
そして、バックアップ材６０は、横止水部６１および縦止水部６２を有して略Ｔ字状に形成されているので、横目地部材２０，８０の途切れた部分を屋内側から確実に覆うことができるから、優れた防水効果が得られる。
【００４８】
さらに、バックアップ材６０は、左右に隣接した外壁材６Ｂ，７にそれぞれ取り付けられた一対の止水ブロック６０Ａ，６０Ｂからなるものであるため、止水ブロック６０Ａ，６０Ｂを予め各外壁材６Ｂ，７に取り付けておけば、外壁材６Ｂ，７を並設するだけで、横目地部８および縦目地部９の交差部分にバックアップ材６０を簡単に設置できる。
また、止水ブロック６０Ａ，６０Ｂは互いに密着しているため、これらのブロック６０Ａ，６０Ｂ間からの雨水の浸入を確実に防止できる。
【００４９】
そして、バックアップ材６０の屋内側の面は、外壁材６，７の屋内側の面と平行にされているので、止水ブロック６０Ａ，６０Ｂを外壁材６，７の屋内側の面と面一になるように配置するだけで、外壁材６，７に対して簡単に位置決めできるから、バックアップ材６０の設置を一層容易化できる。
【００５０】
また、バックアップ材６０は、発泡体からなるものであるため、柔軟性を確保できるので、バックアップ材６０が弾性変形して外壁材６，７に追従するようになるから、バックアップ材６０および外壁材６，７の間に優れた水密性を確保できる。
【００５１】
さらに、横目地部材２０，８０では、横目地用基部２２に立設されたリップ状部２３，２４の間が樋状部２１，８１とされているので、雨水のほとんどを屋外側リップ状部２４で遮ることができるうえ、この屋外側リップ状部２４を越えて屋内側に浸入した雨水は、樋状部２１，８１を通じて排水できるから、横目地部材２０，８０よりも屋内側への水の浸入を確実に防止できる。
また、リップ状部２３，２４は上側の外壁材６Ａ，７の下端面に圧接されるので、横目地部材２０，８０と上側の外壁材６Ａ，７との間で高い防水性を確保できる。
【００５２】
さらに、横目地部材２０，８０の設置にあたっても、横目地用基部２２を下側の外壁材６Ｂ，７の上端面に密着固定しておき、この下側の外壁材６Ｂ，７上に上側の外壁材６Ａ，７を配置して横目地部材２０，８０を挟み込むだけでよいので、簡単に設置できる。
そして、横目地用基部２２は板状に形成されているので、下側の外壁材６Ｂ，７の上端面に大面積で密着固定でき、横目地用基部２２と下側の外壁材６Ｂ，７との間に優れた防水性が得られる。
【００５３】
そして、樋状部底面２６には、屋外側に向かう下り勾配が形成されているので、水が樋状部２１，８１の各空間の屋外側の部分に沿って流れるようになり、屋内側に向かうのを防止できるので、横目地部８の防水性を一層高めることができる。
【００５４】
さらに、横目地用基部２２の屋内側端部には、突出部２７，８７が立設されているので、毛管現象により屋内側リップ状部２３を越えて屋内側に浸入した水を突出部２７，８７で止水でき、排水溝２８，８８に沿って確実に排水できるので、優れた防水効果を期待できる。
【００５５】
そして、屋外側リップ状部２４には、上側支持片３１および下側支持片３２を有する支持用突起３０が突設されているため、下側支持片３２によって横目地用基部２２が下側の外壁材６Ｂの上端面に押圧されるから、横目地用基部２２と下側の外壁材６Ｂとの密着性を高めることができる。
【００５６】
また、下側支持片３２は横目地用基部２２に連結されているため、その連結部分で横目地用基部２２を確実に押圧することができるうえに、横目地部８に設置したときに屋外側リップ状部２４を屋内側に撓んだ姿勢に確実に保持できる。
【００５７】
さらに、支持用突起３０には排水孔３３が形成されているので、この排水孔３３から支持用突起３０よりも下側の空間にも雨水を導くことができるようになり、支持用突起３０の上側支持片３１を越えて屋内側に浸入する水の量を少なくできるから、防水効果を高めることができる。
また、支持用突起３０よりも下側の空間にも雨水を流通させることができるため、樋状部２１，８１の空間を有効利用できる。従って、樋状部２１，８１で捕捉可能な水量を増やせるから、水量が多い場合でも、樋状部２１，８１からの水の溢れを抑制できる。
とくに、横目地部材２０では、排水性の悪い長手方向の中間部分において樋状部２１に流通可能な水量を多くできるので、優れた防水性が得られる。
【００５８】
そして、入隅部１Ｂ用の横目地部材８０の角部の屋内側の部分は湾曲しているため、横目地部材８０の角部のうち、外壁材７の上端の切欠き部７１に被さる部分を少なくすることができるうえ、頂部８０Ａを外壁材７に支持させることができるので、横目地部材８０の角部の下方への撓みを防止できる。従って、樋状部８１の角部における水の滞留を防止できるため、優れた防水性を確保できる。
また、樋状部８１において、その角部に向かって雨水が流れても、この雨水を角部の湾曲に沿って樋状部８１の端部まで円滑に流通させることができるので、樋状部８１の角部における雨水の滞留およびオーバーフローを防止できるから、防水性を向上できる。
【００５９】
さらに、入隅部１Ｂ用の横目地部材８０の上側支持片３１には、上側の外壁材７に密着する粘着材８９が設けられているので、この粘着材８９を介して上側支持片３１を上側の外壁材７に確実に密着させることができる。従って、上側支持片３１および上側の外壁材７の間から屋内側に水が浸入するのを抑制できるから、防水効果を高めることができる。
また、粘着材８９はブチルゴムを主成分とするものであるため、優れた耐候性を確保できる。
【００６０】
そして、縦目地部９には排水路４０が設けられているので、樋状部２１，８１および排水溝２８，８８に沿って流れてきた水を排水路４０を通じて確実に流し落とすことができるため、良好な防水性が得られる。
また、本実施形態の排水路４０は、縦目地部材４１を圧入するだけで簡単に形成できる。
【００６１】
さらに、縦目地部材４１は、縦目地部９を塞ぐ縦目地止水部４３を有するため、縦目地部９から浸入しようとする雨水のほとんどを縦目地止水部４３によって遮ることができるうえ、縦目地止水部４３を越えて屋内側に侵入した水は排水路４０を通じて下方に流すことができるから、縦目地部９に良好な防水性を確保できる。
【００６２】
また、縦目地止水部４３は、縦目地係止部４２よりも軟質の材料であるＣＳＭからなるため、容易に変形して横目地部材２０，８０の端面に追従するようになり、縦目地止水部４３を横目地部材２０，８０の端面、具体的には、屋外側リップ状部２４の端面に密着させることができる。従って、横目地部材２０および縦目地部材４１の接続部分からの浸水を確実に防止できるため、優れた防水性を確保できる。
さらに、横目地部材２０，８０の屋外側リップ状部２４も軟質のＣＳＭにより形成されているので、この屋外側リップ状部２４の端面に縦目地止水部４３を圧接させたときに容易に変形して縦目地止水部４３の平面部５４Ａに追従すから、優れた密着性を確保でき、防水性を一層向上できる。
【００６３】
そして、縦目地止水部４３は筒状に形成されているため、その長手方向と直交する方向に大きく変形させることができるから、より優れた柔軟性が得られ、横目地部材２０，８０の端面に一層確実に追従させることができる。
【００６４】
また、縦目地止水部４３は、横目地部材２０，８０の端面に沿う平面部５４Ａを有するため、屋外側リップ状部２４が撓んでいても、平面部５４Ａを屋外側リップ状部２４の長手方向端面に確実に面接触させることができるので、屋外側リップ状部２４と縦目地止水部４３とを隙間なく接続できるから、優れた防水性を確保できる。
【００６５】
なお、本発明は前記実施形態に限定されるものではなく、本発明の目的を達成できる他の構成等を含み、以下に示すような変形なども本発明に含まれる。
すなわち、前記実施形態では、バックアップ材６０の屋外側の面６２Ａの下部に屋外側に向かう下り傾斜を付けたが、屋外側の面の全面に下り傾斜を付けてもよい。
また、バックアップ材は、一対の止水ブロックからなるものに限定されず、三つ以上の止水ブロックにより構成してもよく、或いは、一体的に形成してもよい。
【００６６】
そして、前記実施形態では、縦目地部材４１の縦目地止水部４３を筒状に形成したが、中実に形成してもよく、これによると、横目地部材の端面への追従性は若干低下するが、剛性が高められるので、縦目地部材の圧入作業を容易化できる。
さらに、前記実施形態の入隅部用の横目地部材８０の角部は、全体的に湾曲した形状を有していたが、屋内側の部分だけ湾曲させて、屋外側の部分は屈曲した形状としてもよい。
【００６７】
また、前記実施形態の外壁材６，７は、比較的厚く形成される軽量気泡コンクリート製であったが、これよりも薄いサイディング材等により外壁材を形成してもよい。しかし、本発明は外壁材と外壁材との間の空間を利用して水を流す構造であるため、外壁材は厚い方が好ましい。
さらに、以上に述べた実施形態では、ユニット式建物の外壁の目地構造について説明したが、本発明は、ユニット式建物の外壁に限定されず、複数の外壁材を並設した外壁であれば、ユニット工法以外の工法によって建てられた建物の外壁にも適用できる。例えば、本発明は、鉄骨軸組みフレーム等に外壁材を並べて取り付けた外壁等に適用してもよい。
【００６８】
【発明の効果】
以上に述べたように、本発明によれば、バックアップ材の屋外側の面には、屋外側に向かう下り傾斜が付けられているため、横目地部および縦目地部の交差部分でバックアップ材により止水された雨水は、その屋外側の面の下り傾斜に沿って屋外側に流れ落ちるから、優れた防水性を確保できる。
また、バックアップ材には、予め屋内側に向かう下り傾斜が付けられているので、設置時のバックアップ材の傾きによって、屋外側の面に屋内側に向かう下り傾斜が形成されるのを防止できる。従って、従来の角柱状のバックアップ材のように、設置時の傾きを厳密に管理しなくてもよくなるから、バックアップ材を簡単に設置できる。
【図面の簡単な説明】
【図１】本発明の一実施形態を示す斜視図。
【図２】前記実施形態の建物ユニットを一部破断して示す斜視図。
【図３】前記実施形態の横目地部材を示す斜視図。
【図４】前記実施形態の横目地部材を示す図。
【図５】前記実施形態の横目地部材の設置状態を示す断面図。
【図６】前記実施形態の入隅部用の横目地部材を示す斜視図。
【図７】前記実施形態の横目地部および縦目地部の交差部分を示す斜視図。
【図８】前記実施形態の横目地部および縦目地部の交差部分を示す分解斜視図。
【図９】前記実施形態の縦目地部材を示す図。
【符号の説明】
１  ユニット式建物
１Ｂ  入隅部
６，６Ａ，６Ｂ  外壁材
７  外壁材
８  横目地部
９  縦目地部
２０，８０  横目地部材
２１，８１  樋状部
２３  屋内側リップ状部
２４  屋外側リップ状部
３０  支持用突起
３１  上側支持片
３２  下側支持片
３３  排水孔
４０  排水路
４１  縦目地部材
４２  縦目地係止部
４３  縦目地止水部
５４Ａ  平面部
６０  バックアップ材
６０Ａ，６０Ｂ  止水ブロック
６１  横止水部
６２  縦止水部
８９  粘着材
【図１】
0003861159.tif 000002
【図２】
0003861159.tif 000003
【図３】
0003861159.tif 000004
【図４】
0003861159.tif 000005
【図５】
0003861159.tif 000006
【図６】
0003861159.tif 000007
【図７】
0003861159.tif 000008
【図８】
0003861159.tif 000009
【図９】
0003861159.tif 000010